(57)【要約】【課題】軽量鉄骨への施工に優れ生産性が良く小型で軽量なダクト用換気扇を得る。【解決手段】ダクト用換気扇は、天井の開口部に設置され、室内側に吸込口、室外側にダクトに連通する吐出口を有し、吸込口から空気を吸い込み吐出口から吐出することにより室内を換気するダクト用換気扇において、空気を流通させる換気駆動体、および当該換気駆動体を収納するとともに吸込口および吐出口とが形成された樹脂製の外殻を有する換気扇本体と、薄板鋼板で作製され外殻の周囲に配設され換気扇本体を天井開口部に固定するフランジ部材とを有する。【選択図】        図２
2007315652.tif 000002
【特許請求の範囲】
【請求項１】
天井の開口部に設置され、室内側に吸込口、室外側にダクトに連通する吐出口を有し、前記吸込口から空気を吸い込み前記吐出口から吐出することにより室内を換気するダクト用換気扇において、
空気を流通させる換気駆動体、および当該換気駆動体を収納するとともに前記吸込口および前記吐出口とが形成された樹脂製の外殻を有する換気扇本体と、
薄板鋼板で作製され前記外殻の周囲に配設され前記換気扇本体を前記天井開口部に固定するフランジ部材と
を有することを特徴とするダクト用換気扇。
【請求項２】
前記外郭は、側面から側方に向かって延び前記ダクトに接続するダクト接続枠を有し、
前記フランジ部材は、軸線方向に移動可能とされている
ことを特徴とする請求項１に記載のダクト用換気扇。
【請求項３】
前記外郭は、側面から側方に向かって延び前記ダクトに接続するダクト接続枠を有し、該ダクト接続枠は、軸線方向に移動可能とされている
ことを特徴とする請求項１または２に記載のダクト用換気扇。
【請求項４】
前記フランジ部材は、
軸線方向に延びる円筒部と、
軸線と直角方向に延びるフランジ部とを有する
ことを特徴とする請求項１から３のいずれか１項に記載のダクト用換気扇。
【発明の詳細な説明】
【技術分野】
【０００１】
この発明は、天井の開口部に設置され、室内側に吸込口、室外側にダクトに連通する吐出口を有し、吸込口から空気を吸い込み吐出口から吐出することにより室内を換気するダクト用換気扇に係り、特に、軽量鉄骨への取り付けが容易で且つ小型、軽量なダクト用換気扇に関するものである。
【背景技術】
【０００２】
平成１５年７月の建築基準法改正に伴い、２４時間換気を実現する換気扇が義務付けられている。これに伴い製造コストが安価で本体も軽量となるプラスチック製の外殻を持つ換気扇が提案されている。プラスチック製の外殻を持つ換気扇は、大量生産に向いており、製造コストが安価で本体も軽量であるなどのメリットがある。一方で集合住宅やマンションなどでも同様の換気扇の設置義務化に伴い設置が普及している。但し、このような建築物は軽量鉄骨工法によって建築されているため、プラスチック製の外殻を持つ換気扇ではなく鋼板製の外殻を持つ換気扇が多く使用されている。その理由は以下である。
【０００３】
この種の従来のプラスチック製の外殻の換気扇については、野縁と呼ばれる１辺が約４０ｍｍの四角枠状の木枠に、木枠の開口穴と略同形状の開口穴を有する天井板を貼り付けて、その開口穴の一辺にダクト接続枠を配管ダクトと結合し仮固定して、箱型の本体を下方より上方に向け挿入して天井板を介して本体の周囲に形成されたフランジ部を木枠に木ねじなどにより固定していた。または、木枠に換気扇を取り付けた後に、ダクト接続枠に配管ダクトを接続して、その後本体フランジより多少大きな開口穴を明けた天井板を貼り付けて、すなわち換気扇本体と天井板の両方を木枠に固定していた（例えば、特許文献１参照）。
【０００４】
また、軽量鉄骨に取付ける場合には、鋼板製の外殻を持つ換気扇が採用されている。すなわち、軽量鉄骨に換気扇を取付ける場合には、換気扇のフランジ部の高さと天井面の高さをほぼ一致させ、軽量鉄骨へ本体を固定した後に、フランジ部を覆うように天井板を貼り付けてしまう方法を採用している。このため、鋼板製外殻の場合、フランジ部は薄板鋼板などで形成されており、その厚みは例えば１ｍｍ程度のため、この厚さ寸法は無視できる程度で、すなわち軽量鉄骨の底面と、これにフランジ部を取り付けた場合の底面高さの差は、わずかに１ｍｍ程度のため、換気扇を取付ける部分の軽量鉄骨の高さ寸法と、その周辺の天井面を取付ける部分の高さ寸法と同一に出来る。
【０００５】
これに対して、プラスチック製の外殻の換気扇の場合には、箱型本体部と、その周囲に設けられたフランジ部とが一体成形にて作製されており、フランジ部分の厚みは５〜８ｍｍ程度ある。このため、換気扇を取り付ける部分の軽量鉄骨の高さ寸法と、その周辺の天井面を取り付つける部分の高さ寸法とを、フランジ部の厚み寸法である５〜８ｍｍ程度調整する必要が生る。結果的にこのような煩雑な施工は好ましくないため、軽量鉄骨への取付けは、鋼板製の換気扇が優れる。また、天井板に開口穴を明けてから天井板を野縁に取付ける場合には、天井板の強度が低下するため取り扱いに注意が必要で、さらに換気扇の開口部と天井板の開口穴の一致が面倒である。このため、軽量鉄骨に取り付ける場合には、天井板を野縁に貼り付けた後に、本体開口部よりわずかに小さい開口穴を明けている（例えば、特許文献２参照）。
【０００６】
【特許文献１】特開２０００−１８６６０号公報（図１）
【特許文献２】特開２００１−１４１２９２号公報（図１）
【発明の開示】
【発明が解決しようとする課題】
【０００７】
このように従来のダクト用換気扇では、その使用用途により本体材質で優位性が発生し、例えば、軽量鉄骨への取付けでは施工性は鋼板製が優れ、木枠（野縁）ではプラスチック製が優れ、小型のもので製造コスト面ではプラスチック製が優れる。
【０００８】
この発明は、このような課題を解決するためになされたものであって、軽量鉄骨への施工に優れ、生産性が良く軽量でコンパクトなダクト用換気扇を得ることを目的とする。
【課題を解決するための手段】
【０００９】
上記課題を解決するために、この発明にかかるダクト用換気扇は、天井の開口部に設置され、室内側に吸込口、室外側にダクトに連通する吐出口を有し、吸込口から空気を吸い込み吐出口から吐出することにより室内を換気するダクト用換気扇において、空気を流通させる換気駆動体、および当該換気駆動体を収納するとともに吸込口および吐出口とが形成された樹脂製の外殻を有する換気扇本体と、薄板鋼板で作製され外殻の周囲に配設され換気扇本体を天井開口部に固定するフランジ部材とを有することを特徴とする。
【発明の効果】
【００１０】
この発明にかかるダクト用換気扇によれば、取り付け用部材であるフランジ部を薄板鋼板製とすることで、軽量鉄骨に取付ける場合の取り付けにおいて、本体が鋼板製の換気装置を同様の施工が出来、本体部分は製造コストが安価で本体も軽量なプラスチック製換気扇のメリットを生かせることができる。
【発明を実施するための最良の形態】
【００１１】
実施の形態１．
図１はこの発明の実施の形態１のダクト用換気扇設置時の状態を示す横断面図である。図１において、本実施の形態のダクト用換気扇１００は、天井板９０に形成された開口９１に取り付けられ、室内側に吸込口１１を、また室外側にダクト１３に連通する吐出口１２を有しており、吸込口１１から空気を吸い込み吐出口１２から吐出することにより室内の空気を換気する。ダクト用換気扇１００は、換気扇本体６０と、この換気扇本体６０を天井開口９１に固定するフランジ部材４０とから構成されている。
【００１２】
換気扇本体６０について説明する。換気扇本体６０は、換気する空気を流通させる換気駆動体である多翼式送風機１５と、この多翼式送風機１５を収納する樹脂製の外殻２１とを有している。多翼式送風機１５は、モータ１６と、このモータ１６の駆動軸に差込結合された多翼式羽根１７とから構成されている。外殻２１は、主に多翼式送風機１５を収納するとともに下面が開放されて吸込口１１が形成された矩形箱状の外殻本体２２と、この外殻本体２２の側部に設けられ外殻本体２２の側面から直角方向に延び吐出口１２をダクト１３に連通する位置まで延長する段付きのダクト接続枠２３を含んでいる。外殻本体２２は、さらに換気扇の下部を覆う下部渦巻状ケーシング２６と上部を覆う上部渦巻状ケーシング２７とに分割されている。モータ１６は、モータ補強板で補強されて上部渦巻状ケーシング２７の天面２７ａに固定ねじにより固定されている。下部渦巻状ケーシング２６には、ベルマウス形状の吸込口１１が形成されている。ダクト接続枠２３内には、シャッター２４が設けられている。ダクト接続枠２３の内部には、風圧にて開閉するシャッター２４が内蔵されている。ダクト１３は、屋外まで延びている。
【００１３】
フランジ部材４０について説明する。フランジ部材４０は、薄板鋼板を折り曲げることにより作製され、外殻本体２２の側面に沿って軸線方向に延びる角筒状の角筒部４１と、この角筒部４１の室内側の開口縁から全周にわたって半径方向外側に延びるフランジ部４２とを有している。フランジ部材４０は、外殻本体２２に角筒部４１を圧入されて外殻本体２２の外周部に固定されている。
【００１４】
天井板９０に形成された開口９１において、開口９１の裏面（室外側）には矩形の開口９１の対向する２辺のそれぞれに野縁９３が設けられている。上述のように構成されたダクト用換気扇１００は、フランジ部４２を天井板９０と野縁９３との間に挟まれて固定ねじ４４にて締着されることにより、天井板９０に形成された開口９１に固定されている。薄板鋼板のフランジ部４２の厚さ（図１中Ａ）は非常に薄いので、野縁９３に対して天井板９０が浮き上がってしまう高さはほんの僅かである。
【００１５】
化粧グリル３１は吸込口１１を覆うようにして、周縁部が天井板９０の室内側面に当接されるように配設されている。そして、化粧グリル３１は中央部に連結されたバネ３２を、下部渦巻状ケーシング２６に一体成形にて形成された化粧グリル引掛部３３に係合されて、着脱自在に取り付けられている。
【００１６】
以上のように、本実施の形態のダクト用換気扇においては、樹脂製の外殻２１を有する換気扇本体６０と、薄板鋼板で作製され外殻２１の周囲に配設され換気扇本体６０を天井開口部に固定するフランジ部材４０とを有している。そのため、樹脂製の外殻２１にて覆われた換気扇であっても、天井の開口部へ容易に取り付けることができ、軽量鉄骨への施工に優れた、生産性が良く軽量でコンパクトなダクト用換気扇とすることができる。
【００１７】
なお、本実施の形態においては、野縁９３に対するフランジ部４２と天井板９０の固定を固定ねじ４４にて行っているが、これに限定されるものではなく、例えば固定ねじを用いずに接着剤等で貼着してもよい。
【００１８】
実施の形態２．
図２はこの発明の実施の形態２のダクト用換気扇設置時の状態を示す横断面図である。本実施の形態においては、フランジ部材４０のフランジ部４２が天井板９０を挟まずに単独で木製の野縁９８に固定されている。このように、この発明に係るダクト用換気扇１００においては、木製の野縁９８、つまり木枠に対しても容易に取り付けることができる。
【００１９】
なお、上述の実施の形態１の施工方法では、ダクト用換気扇１００と天井板９０とを取り付けた後に、ダクト接続枠２３とダクト１３とを接続することとなるが、天井板９０に遮られ目視が困難なため作業性が悪い。これに対して、本実施の形態の施工においては、天井板９０を貼り付ける前に、換気扇１００の取付けが可能で、換気扇１００を取付けた後に、天井板９０をフランジ部４２をおおう形で取り付けることができ、天井板９０を貼り付けた後に開口９１をあけることができる。そのため、天井板９０が無い状態でダクト接続枠２３にダクト１３を接続することができ、作業性が良い。
【００２０】
実施の形態３．
図３はこの発明の実施の形態３のダクト用換気扇設置時の状態を示す横断面図である。図３において、本実施の形態のダクト用換気扇１１０のフランジ部材５０は、実施の形態１のものと同じように薄板鋼板を折り曲げることにより作製され、外殻本体２２の側面に沿って軸線方向に延びる角筒状の角筒部５１と、この角筒部５１の室内側の開口縁から全周にわたって半径方向外側に延びるフランジ部５２とを有している。そして、本実施の形態のフランジ部材５０は、外殻本体２２に角筒部５１を遊嵌されて固定ねじ５６にて外殻本体２２の外周部に固定されている。その他の構成は実施の形態１と同様である。
【００２１】
軽量鉄骨の野縁９３の高さ寸法は約２５ｍｍである。この野縁９３を支える野縁押え９５は野縁９３と直交して重なるように配設されており、高さ寸法は約３２ｍｍである。この野縁９３と野縁押え９５は直交する形で専用金具にて組み合わせられ、野縁押え９５は吊ボルトなどにより吊り下げられて構造物に固定されている。
【００２２】
通常ダクト接続枠２３の天井板９０からの間隔は４５〜５０ｍｍ程度である。この寸法は、軽量鉄骨の野縁９３と野縁押え９５の高さ寸法を合計した５７ｍｍより小さい。このため、図１に示すように、ダクト１３はその向きにより野縁押え９５と干渉する位置関係にある。すなわち、ダクト接続枠部分の高さ寸法は、木枠への取り付けの場合と軽量鉄骨への取り付けの場合で異なり、仮に軽量鉄骨を前提に設計すると、本体高さ寸法が高くなり、一般家庭のような天井裏スペースが少ない場合には不向きなものである。
【００２３】
実施の形態１においては、換気扇本体６０とフランジ部材４０との結合を圧入等により強固に結合していたのに対して、本実施の形態においては、換気扇本体６０に対してフランジ部材５０が軸線方向（上下方向）に移動できる構造になっている。このような構造とすることで、例えば、木枠への取り付けの場合は、換気扇本体６０に対してフランジ部材５０を低い位置にスライドして、また、軽量鉄骨への取り付けの場合は換気扇本体６０に対してフランジ部材５０を高い位置にスライドして使用することができる。このように使用することで、ダクト接続枠２３の吐出口１２の高さを調整することができ、前述したような野縁押え９５とダクト１３が高さ方向で干渉するような場合であってもこれを回避すことが出来る。
【００２４】
なお、本実施の形態においては、換気扇本体６０に対してフランジ部材５０を軸線方向に移動可能としているが、換気扇本体６０に対してダクト接続枠２３を軸線方向に移動可能としても概略同様の効果を得ることができる。さらには、換気扇本体６０に対してフランジ部材５０とダクト接続枠２３とを軸線方向に移動可能としてもよい。このような構成とすることにより、より多様な取り付け箇所に対して適応することができる。
【産業上の利用可能性】
【００２５】
この発明のダクト用換気扇は、広く業務用、一般家庭用のダクト用換気扇に好適なものであり、特に集合住宅やマンション等の軽量鉄骨の建築物に設置されるダクト用換気扇に最適なものである。
【図面の簡単な説明】
【００２６】
【図１】この発明の実施の形態１のダクト用換気扇の設置時の状態を示す横断面図である。
【図２】この発明の実施の形態２のダクト用換気扇の設置時の状態を示す横断面図である。
【図３】この発明の実施の形態３のダクト用換気扇の設置時の状態を示す横断面図である。
【符号の説明】
【００２７】
１１  吸込口
１２  吐出口
１３  ダクト
１６  モータ
１７  多翼式羽根
２１  外殻
２２  外殻本体
２３  ダクト接続枠
２４  シャッター
２６  下部渦巻状ケーシング
２７  上部渦巻状ケーシング
３１  化粧グリル
３２  バネ
３３  化粧グリル引掛部
４０，５０  フランジ部材
４１，５１  角筒部
４２，４２  フランジ部
６０  換気扇本体
９０  天井板
９１  開口
９３，９８  野縁
１００，１１０  ダクト用換気扇
【図１】
2007315652.tif 000003
【図２】
2007315652.tif 000004
【図３】
2007315652.tif 000005